(57)【要約】【課題】複数個の衝立体が折畳自在に連結され、上記衝立体に開口部を形成し、開口部を開閉可能なブラインド機構を配設してなるから、図１、図２の如く、各衝立体を折畳展開することができ、使用時には各衝立体を展開して起立設置し、不使用時には各衝立体を折り畳んで収納することができ、かつ、開口部をブラインド機構により開閉することができ、このため、開口部を開口することにより通気性を確保することができ、又、開口部を閉口することにより目隠し機能を得ることができ、ブラインド機構により室内のインテリア性を高めることができる。【解決手段】複数個の衝立体１を折畳自在に連結してなり、衝立体に開口部３を形成し、開口部を開閉可能なブラインド機構４を配設してなる。【選択図】図１
2005240458.tif 000002
【特許請求の範囲】
【請求項１】
複数個の衝立体を折畳自在に連結してなり、上記衝立体に開口部を形成し、該開口部を開閉可能なブラインド機構を配設してなることを特徴とする衝立。
【請求項２】
上記ブラインド機構は、上下多段状に配置される複数個の開閉羽根体と、該開閉羽根体を開閉回動させる開閉機構とからなることを特徴とする請求項１記載の衝立。
【発明の詳細な説明】
【技術分野】
【０００１】
本発明は例えば室内の間仕切りや目隠し、インテリヤとして用いられる衝立に関するものである。
【背景技術】
【０００２】
従来、この種の衝立として、複数個の衝立体を折畳自在に連結してなる構造のものが知られている。
【特許文献１】実開平６−１３６３５号公報
【発明の開示】
【発明が解決しようとする課題】
【０００３】
しかしながら上記従来構造の場合、上記複数個の衝立体はパネル板等により閉塞状になっていたり、格子材により開放状に形成されていたりする構造となっており、閉塞状になっていると、衝立体により目隠し機能は満足されるが、通気性がなく、夏場に閉塞感を感じたりすることがあり、又、開放状になっていると、目隠し機能が満足されないことがあったり、室内のインテリア性に欠けたりすることがあるという不都合を有している。
【課題を解決するための手段】
【０００４】
本発明はこれらの不都合を解決することを目的とするもので、本発明のうちで、請求項１記載の発明は、複数個の衝立体を折畳自在に連結してなり、上記衝立体に開口部を形成し、該開口部を開閉可能なブラインド機構を配設してなることを特徴とする衝立にある。
【０００５】
又、請求項２記載の発明にあっては、上記ブラインド機構は、上下多段状に配置される複数個の開閉羽根体と、該開閉羽根体を開閉回動させる開閉機構とからなることを特徴とするものである。
【発明の効果】
【０００６】
本発明は上述の如く、請求項１記載の発明にあっては、複数個の衝立体が折畳自在に連結され、上記衝立体に開口部を形成し、開口部を開閉可能なブラインド機構を配設してなるから、各衝立体を折畳展開することができ、使用時には各衝立体を展開して起立設置し、不使用時には各衝立体を折り畳んで収納することができ、かつ、開口部をブラインド機構により開閉することができ、このため、開口部を開口することにより通気性を確保することができ、又、開口部を閉口することにより目隠し機能を得ることができ、ブラインド機構により室内のインテリア性を高めることができる。
【０００７】
又、請求項２記載の発明にあっては、上記ブラインド機構は、上下多段状に配置される複数個の開閉羽根体と、開閉羽根体を開閉回動させる開閉機構とからなるので、構造を簡素化することができると共に開閉羽根体の開閉操作を容易に行うことができる。
【発明を実施するための最良の形態】
【０００８】
図１乃至図８は本発明の実施の形態例を示し、図１乃至図７は第一形態例、図８は第二形態例である。
【０００９】
図１乃至図７の第一形態例において、１・１・１・１は衝立体であって、この場合、木製の四個の衝立体を蝶番等の折畳機構２により相互に山折り、谷折りの平面ジクザグ状に折畳自在に連結されている。
【００１０】
そして、この各衝立体１・１・１・１に開口部３・３・３・３を形成し、この開口部３・３・３・３を開閉可能なブラインド機構４を配設している。
【００１１】
このブラインド機構４は、図４、図５、図６、図７の如く、上下多段状に配置される複数個の開閉羽根体４ａと、開閉羽根体４ａを開閉回動させる開閉機構４ｂとからなり、この場合、上記衝立体１の上部材１ａ内に回動軸４ｃを回動自在に横設し、この回動軸４ｃに止着体４ｄを取付けると共に上部材１ａの内面から一部外周面が露呈する回動摘まみ盤４ｅを取付け、止着体４ｄに前後一対の三組の紐体４ｆ・４ｆ・４ｆの上端部を止着し、この紐体４ｆ・４ｆ・４ｆを開口部３の上面３ａを介して開口部３の下面３ｂに垂下し、かつ、この前後一対の紐体４ｆ・４ｆ・４ｆ間に複数個の載紐４ｇを上下多段に梯子状に架設し、各開閉羽根体４ａに長穴Ｎを形成し、上面３ａと下面３ｂとの間に線材からなるガイド杆４ｈを縦設し、複数個の開閉羽根体４ａを載紐４ｇ上に載置すると共に長穴Ｎにガイド杆４ｈを挿通して構成されている。
【００１２】
しかして、回動摘まみ盤４ｅを指等で回動することにより前後一対の紐体４ｆ・４ｆは互いに上下逆方向に移動し、この相互逆方向の移動により載紐４ｇは前下がり、又は後下がり、若しくは水平状態となり、この前下がり、又は後下がり状態において、図５の如く、開閉羽根体４ａは相互に重合して開口部３は閉口し、水平状態において、図６の如く、開閉羽根体４ａは相互に離反して開口部３は開口状態となるように構成している。
【００１３】
この実施の第一形態例は上記構成であるから、複数個の衝立体１・１・１・１が折畳自在に連結され、上記衝立体１・１・１・１に開口部３・３・３・３を形成し、開口部を開閉可能なブラインド機構４を配設してなるから、図１、図２の如く、各衝立体１・１・１・１を折畳展開することができ、使用時には各衝立体１・１・１・１を展開して起立設置し、不使用時には各衝立体１・１・１・１を折り畳んで収納することができ、かつ、開口部３・３・３・３をブラインド機構４により開閉することができ、このため、開口部３を開口することにより通気性を確保することができ、又、開口部３を閉口することにより目隠し機能を得ることができ、ブラインド機構４により室内のインテリア性を高めることができる。
【００１４】
又、この場合、上記ブラインド機構４は、上下多段状に配置される複数個の開閉羽根体４ａと、開閉羽根体４ａを開閉回動させる開閉機構４ｂとからなるので、構造を簡素化することができると共に開閉羽根体４ａの開閉操作を容易に行うことができる。
【００１５】
図８の第二形態例は別例構造を示し、この場合、木製の３個の衝立体１・１・１を蝶番等の折畳機構２により相互に山折り、谷折りの平面ジクザグ状に折畳自在に連結し、各衝立体１・１・１に開口部３・３・３を形成し、この開口部３・３・３を開閉可能なブラインド機構４を配設して構成している。
【００１６】
この第二形態例にあっても、上記第一形態例と同様な作用効果を得ることができる。
【００１７】
尚、本発明は上記実施の形態例に限られるものではなく、例えば、衝立体の個数や形態、材質、大きさ等は適宜設計して変更され、又、各衝立体１の全てに開口部３及びブラインド機構４を設けるのではなく、複数個の衝立体１のうちの特定の衝立体にのみ開口部３及びブラインド機構４を設けることもある。
【００１８】
以上、所期の目的を充分達成することができる。
【図面の簡単な説明】
【００１９】
【図１】本発明の実施の第一形態例の全体斜視図である。
【図２】本発明の実施の第一形態例の全体斜視図である。
【図３】本発明の実施の第一形態例の側面図である。
【図４】本発明の実施の第一形態例の側断面図である。
【図５】本発明の実施の第一形態例の部分拡大断面図である。
【図６】本発明の実施の第一形態例の部分拡大断面図である。
【図７】本発明の実施の第一形態例の部分拡大側面図である。
【図８】本発明の実施の第二形態例の全体斜視図である。
【符号の説明】
【００２０】
１    衝立体
２    折畳機構
３    開口部
４    ブラインド機構
【図１】
2005240458.tif 000003
【図２】
2005240458.tif 000004
【図３】
2005240458.tif 000005
【図４】
2005240458.tif 000006
【図５】
2005240458.tif 000007
【図６】
2005240458.tif 000008
【図７】
2005240458.tif 000009
【図８】
2005240458.tif 000010